(57)【要約】【課題】多機能複合式カード読み取り機を提供する。【解決手段】本考案の多機能複合式カード読み取り機は、メモリカードユニット、及び、ICチップユニットからなる。メモリカードユニットは、メモリカードコネクタを有し、ICチップユニットは、ICチップカードコネクタを有する。コネクタは、多機能複合式カード読み取り機内の各種周辺回路素子と連接すると共に、トランスポート・インターフェースにより、電子装置と電気的に接続される。本考案のカード読み取り機は、メモリカードとスマートICカードを読み取ることができ、パソコン、ノート型パソコン、ATM、マルチメディアプレーヤー、液晶テレビ、及び、インターネット電話機等に適用することができる。【選択図】図２
0003117572.tif 000002
【実用新案登録請求の範囲】
【請求項１】
多機能複合式カード読み取り機であって、
少なくともメモリカードコネクタを有するメモリカードユニットと、
少なくともICチップカードコネクタを有するICチップユニットとからなり、
前記メモリカードコネクタと前記ICチップカードコネクタは、前記多機能複合式カード読み取り機内の各種周辺回路素子と連接すると共に、トランスポート・インターフェースにより、電子装置と電気的に接続されることを特徴とする多機能複合式カード読み取り機。
【請求項２】
前記メモリカードユニットは、読み取るメモリカードを挿入するカードソケットを有し、前記メモリカードコネクタと接続されることを特徴とする請求項１に記載の多機能複合式カード読み取り機。
【請求項３】
前記メモリカードコネクタは、メモリスティックカード（Memory Stick Card）、MS Pro、SDカード（Secure Digital Card）、ミニSDカード（Mini SD Card）、マルチメディアカード（MultiMedia Card）、MMC 4.0、RSMMC、RSMMC 4.0、トランスフラッシュカード（TransFlash Card）、スマートメディアカード（Smart Media Card  登録商標）、xD ピクチャーカード（xD Picture Card）、コンパクトフラッシュカード（CompactFlash Card  登録商標）、マイクロドライブ（Micro Drive）、或いは、各型のフラッシュメモリカードに適用することを特徴とする請求項１に記載の多機能複合式カード読み取り機。
【請求項４】
前記ICチップユニットは、読み取るICカードを挿入するカードソケットを有し、前記ICチップカードコネクタと接続されることを特徴とする請求項１に記載の多機能複合式カード読み取り機。
【請求項５】
前記ICチップカードコネクタは、健康保険証、キャッシュカード、IDカード、或いは、その他のスマートカードに適用することを特徴とする請求項１に記載の多機能複合式カード読み取り機。
【請求項６】
前記メモリカードユニットと前記ICチップカードユニットは、同一のプリント回路基板上に配置されることを特徴とする請求項１に記載の多機能複合式カード読み取り機。
【請求項７】
前記メモリカードユニットと前記ICチップカードユニットは、二つの異なるプリント回路基板上に配置されることを特徴とする請求項１に記載の多機能複合式カード読み取り機。
【請求項８】
前記多機能複合式カード読み取り機は、コンピュータ内蔵型（internal type）、固定式（fixed type）、取り外し可能型（removable type）、或いは、外接独立型（external stand alone type）であることを特徴とする請求項１に記載の多機能複合式カード読み取り機。
【請求項９】
メモリカード／ICチップユニットからなる多機能複合式カード読み取り機であって、前記メモリカード／ICチップユニットは、少なくとも、多機能コネクタを有し、前記多機能複合式カード読み取り機内の各種周辺回路素子と連接すると共に、トランスポート・インターフェースにより、電子装置と電気的に接続されることを特徴とする多機能複合式カード読み取り機。
【請求項１０】
前記メモリカード／ICチップユニットは、読み取るカードを挿入するカードソケットを有し、前記多機能コネクタと接続されることを特徴とする請求項９に記載の多機能複合式カード読み取り機。
【請求項１１】
前記多機能コネクタは、メモリスティックカード（Memory Stick Card）、MS Pro、SDカード（Secure Digital Card）、ミニSDカード（Mini SD Card）、マルチメディアカード（MultiMedia Card）、MMC 4.0、RSMMC、RSMMC 4.0、トランスフラッシュカード（TransFlash Card）、スマートメディアカード（Smart Media Card  登録商標）、xD ピクチャーカード（xD Picture Card）、コンパクトフラッシュカード（CompactFlash Card  登録商標）、マイクロドライブ（Micro Drive）、或いは、各型のフラッシュメモリカードに適用することを特徴とする請求項９に記載の多機能複合式カード読み取り機。
【請求項１２】
前記メモリカード／ICチップユニットは、プリント回路基板上に配置されることを特徴とする請求項９に記載の多機能複合式カード読み取り機。
【請求項１３】
前記多機能複合式カード読み取り機は、コンピュータ内蔵型（internal type）、固定式（fixed type）、取り外し可能型（removable type）、或いは、外接独立型（external stand alone type）であることを特徴とする請求項９に記載の多機能複合式カード読み取り機。
【考案の詳細な説明】
【技術分野】
【０００１】
本考案は、カード読み取り機システムに関するものであって、特に、各種メモリカードとチップカードを読み取る多機能複合式カード読み取り機に関するものである。
【背景技術】
【０００２】
フラッシュメモリが必要な携帯可能式設備が流行するにつれて、フラッシュメモリカードの数量、及び、様式も多くなっている。集積回路の迅速な発展は、メモリカードのデータ保存能力を増幅させている。近来、プライバシー保護のため、効能が更に大きいスマートチップカード（ICチップカード）が、磁気カードを代替し始め、健康保険証、クレジットカード、キャッシュカード、IDカード等に使用され、将来は、更に幅広く使用される。
【０００３】
カード読み取り機は、カード内のデータを読み取る装置で、カードデータを読み取るため、カード読み取り機は、コネクタ（connector）を有し、電子素子、或いは、設備と電気的に接続される。一般に、カード読み取り機は、読み取り機自身のマイクロプロセッサにより、データの入力／出力線の配置とその間の相関転送プロトコルを管理し、マイクロプロセッサは、マイクロプロセッサインターフェースを提供する。
【０００４】
一般のカード読み取り機のデータ読み取り方法は、カードを読み取り機のコネクタソケットに挿入し、読み取り機により、コンピュータと接続して、カード内のデータを伝送する。現在、よく見られるメモリカードの種類は非常に多い。異なる形態のカードが出ると、消費者は、異なる読み取り機により、データを伝送するか、オンラインで、即時、金融消費をする必要がある。
【考案の開示】
【考案が解決しようとする課題】
【０００５】
本考案は、使用者が、容易に、各種カードを操作、読み取ることができる以外に、異なるカード読み取り機を携帯する面倒をなくした多機能複合式カード読み取り機を提供することを目的とする。
【０００６】
本考案は、各種メモリカード（memory card）とスマートICカード（smart IC card）を読み取ることができ、パソコン（PC）、ノート型パソコン（NB）、ATM、マルチメディアプレーヤー（Multimedia Player）、液晶テレビ（LCD TV）、及び、インターネット電話機等に適用できる多機能複合式カード読み取り機を提供することをもう一つの目的とする。
【課題を解決するための手段】
【０００７】
上述の目的を達成するため、本考案の多機能複合式カード読み取り機は、メモリカードユニット、及び、ICチップユニットからなる。メモリカードユニットは、メモリカードコネクタを有し、ICチップユニットは、ICチップカードコネクタを有する。コネクタは、多機能複合式カード読み取り機内の各種周辺回路素子と連接すると共に、トランスポート・インターフェースにより、電子装置と電気的に接続される。
【０００８】
本考案の多機能複合式カード読み取り機は、メモリカード／ICチップユニット、からなる。メモリカード／ICチップユニットは、少なくとも、多機能コネクタを有し、多機能複合式カード読み取り機内の各種周辺回路素子と連接すると共に、トランスポート・インターフェースにより、電子装置と電気的に接続される。
【考案の効果】
【０００９】
本考案により、多用途に使用することができ、使用者が本考案を使用する時、一つの多機能複合式カード読み取り機だけでよく、多数のカード読み取り機を携帯する手間を省くことができる。
【考案を実施するための最良の形態】
【００１０】
図１は、本考案の多機能複合式カード読み取り機ユニット１００を示す図である。メモリカードユニット１１０、及び、ICチップユニット１２０は、プリント回路基板、或いは、層板上に設置されるか、或いは、互いに堆畳して、空間を節約してもよい。メモリカードユニット１１０は、少なくとも、メモリカードコネクタを有し、ICチップユニット１２０は、少なくとも、ICチップカードコネクタを有する。メモリカードコネクタとICチップカードコネクタは、多機能複合式カード読み取り機内の各種周辺回路素子と連接すると共に、トランスポート・インターフェースにより、電子装置と電気的に接続される。
【００１１】
メモリカードユニット１１０は、読み取るメモリカードを挿入するカードソケットを有する。メモリカードコネクタは、メモリスティックカード（Memory Stick Card）、MS Pro、SDカード（Secure Digital Card）、ミニSDカード（Mini SD Card）、マルチメディアカード（MultiMedia Card）、MMC 4.0、RSMMC、RSMMC 4.0、トランスフラッシュカード（TransFlash Card）、スマートメディアカード（Smart Media Card  登録商標）、xD ピクチャーカード（xD Picture Card）、コンパクトフラッシュカード（CompactFlash Card  登録商標）、マイクロドライブ（Micro Drive）、或いは、各型のフラッシュメモリカードに適用する。又、チップカードユニットは、読み取るICチップカードを挿入するカードソケットを有し、ICチップカードコネクタと接続する。ICチップカードコネクタは、ICチップ型保険証、キャッシュカード、IDカード、或いは、その他のスマートカードに適用する。
【００１２】
図２は、本考案のもう一つの多機能複合式カード読み取り機ユニット１００を示す図である。メモリカードユニット１１０、及び、ICチップユニット１２０は、二つの異なるプリント回路基板、或いは、層板上に設置される。
【００１３】
図３は、本考案の更にもう一つの多機能複合式カード読み取り機ユニット１００を示す図である。多機能複合式カード読み取り機は、メモリカード／ICチップユニット１３０からなる。メモリカード／ICチップユニット１３０は、少なくとも、多機能コネクタを有し、多機能複合式カード読み取り機内の各種周辺回路素子と連接すると共に、トランスポート・インターフェースにより、電子装置と電気的に接続される。メモリカード／ICチップユニット１３０は、プリント回路基板、或いは、層板上に設置される。多機能コネクタは、メモリスティックカード（Memory Stick Card）、MS Pro、SDカード（Secure Digital Card）、ミニSDカード（Mini SD Card）、マルチメディアカード（MultiMedia Card）、MMC 4.0、RSMMC、RSMMC 4.0、トランスフラッシュカード（TransFlash Card）、スマートメディアカード（Smart Media Card 登録商標）、xDピクチャーカード（xD Picture Card）、コンパクトフラッシュカード（CompactFlash Card 登録商標）、マイクロドライブ（Micro Drive）、各式フラッシュメモリカード、ICチップ型保険証、キャッシュカード、IDカード、或いは、その他のスマートカードに適用する。チップカードユニットは、読み取るICチップカードを挿入するカードソケットを有し、ICチップカードコネクタと接続する。
【００１４】
本考案の多機能複合式カード読み取り機ユニットは、コンピュータ内蔵型（internal type）、固定式（fixed type）、取り外し可能型（removable type）、或いは、外接独立型（external stand alone type）である。本考案は、パソコン、ノート型パソコン、ATM、マルチメディアプレーヤー、液晶テレビ、及び、インターネット電話機等に適用することができる。
【００１５】
本考案の長所は、多用途使用ができ、使用者が本考案を使用する時、一つの多機能複合式カード読み取り機だけでよく、多数のカード読み取り機を携帯する手間を省くことができる。
【００１６】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【図面の簡単な説明】
【００１７】
【図１】本考案の多機能複合式カード読み取り機ユニットを示す図である。
【図２】本考案のもう一つの多機能複合式カード読み取り機ユニットを示す図である。
【図３】本考案の更にもう一つの多機能複合式カード読み取り機ユニットの正面図および平面図を示す。
【符号の説明】
【００１８】
１００…多機能複合式カード読み取り機ユニット
１１０…メモリカードユニット
１２０…ICチップユニット
１３０…メモリカード／ICチップユニット
【図１】
0003117572.tif 000003
【図２】
0003117572.tif 000004
【図３】
0003117572.tif 000005
【手続補正書】
【提出日】平成17年8月3日(2005.8.3)
【手続補正１】
【補正対象書類名】実用新案登録請求の範囲
【補正対象項目名】請求項３
【補正方法】変更
【補正の内容】
【請求項３】
前記メモリカードコネクタは、メモリスティックカード（Memory Stick Card  登録商標）、MS Pro、SDカード（Secure Digital Card  登録商標）、ミニSDカード（Mini SD Card  登録商標）、マルチメディアカード（MultiMedia Card  登録商標）、MMC 4.0、RSMMC、RSMMC 4.0、トランスフラッシュカード（TransFlash Card  登録商標）、スマートメディアカード（Smart Media Card  登録商標）、xD ピクチャーカード（xD Picture Card  登録商標）、コンパクトフラッシュカード（CompactFlash Card  登録商標）、マイクロドライブ（Micro Drive  登録商標）、或いは、各型のフラッシュメモリカードに適用することを特徴とする請求項１に記載の多機能複合式カード読み取り機。
【手続補正２】
【補正対象書類名】実用新案登録請求の範囲
【補正対象項目名】請求項１１
【補正方法】変更
【補正の内容】
【請求項１１】
前記多機能コネクタは、メモリスティックカード（Memory Stick Card  登録商標）、MS Pro、SDカード（Secure Digital Card  登録商標）、ミニSDカード（Mini SD Card  登録商標）、マルチメディアカード（MultiMedia Card  登録商標）、MMC 4.0、RSMMC、RSMMC 4.0、トランスフラッシュカード（TransFlash Card  登録商標）、スマートメディアカード（Smart Media Card  登録商標）、xD ピクチャーカード（xD Picture Card  登録商標）、コンパクトフラッシュカード（CompactFlash Card  登録商標）、マイクロドライブ（Micro Drive  登録商標）、或いは、各型のフラッシュメモリカードに適用することを特徴とする請求項９に記載の多機能複合式カード読み取り機。
【手続補正３】
【補正対象書類名】明細書
【補正対象項目名】００１１
【補正方法】変更
【補正の内容】
【００１１】
メモリカードユニット１１０は、読み取るメモリカードを挿入するカードソケットを有する。メモリカードコネクタは、メモリスティックカード（Memory Stick Card  登録商標）、MS Pro、SDカード（Secure Digital Card  登録商標）、ミニSDカード（Mini SD Card  登録商標）、マルチメディアカード（MultiMedia Card  登録商標）、MMC 4.0、RSMMC、RSMMC 4.0、トランスフラッシュカード（TransFlash Card  登録商標）、スマートメディアカード（Smart Media Card  登録商標）、xD ピクチャーカード（xD Picture Card  登録商標）、コンパクトフラッシュカード（CompactFlash Card  登録商標）、マイクロドライブ（Micro Drive  登録商標）、或いは、各型のフラッシュメモリカードに適用する。又、チップカードユニットは、読み取るICチップカードを挿入するカードソケットを有し、ICチップカードコネクタと接続する。ICチップカードコネクタは、ICチップ型保険証、キャッシュカード、IDカード、或いは、その他のスマートカードに適用する。
【手続補正４】
【補正対象書類名】明細書
【補正対象項目名】００１３
【補正方法】変更
【補正の内容】
【００１３】
図３は、本考案の更にもう一つの多機能複合式カード読み取り機ユニット１００を示す図である。多機能複合式カード読み取り機は、メモリカード／ICチップユニット１３０からなる。メモリカード／ICチップユニット１３０は、少なくとも、多機能コネクタを有し、多機能複合式カード読み取り機内の各種周辺回路素子と連接すると共に、トランスポート・インターフェースにより、電子装置と電気的に接続される。メモリカード／ICチップユニット１３０は、プリント回路基板、或いは、層板上に設置される。多機能コネクタは、メモリスティックカード（Memory Stick Card  登録商標）、MS Pro、SDカード（Secure DigitalCard  登録商標）、ミニSDカード（Mini SD Card  登録商標）、マルチメディアカード（MultiMedia Card  登録商標）、MMC 4.0、RSMMC、RSMMC 4.0、トランスフラッシュカード（TransFlash Card  登録商標）、スマートメディアカード（Smart Media Card  登録商標）、xDピクチャーカード（xD Picture Card  登録商標）、コンパクトフラッシュカード（CompactFlash Card  登録商標）、マイクロドライブ（Micro Drive  登録商標）、各式フラッシュメモリカード、ICチップ型保険証、キャッシュカード、IDカード、或いは、その他のスマートカードに適用する。チップカードユニットは、読み取るICチップカードを挿入するカードソケットを有し、ICチップカードコネクタと接続する。